(57)【特許請求の範囲】
【請求項１】
壁掛け式の空気調和機の室内ユニットにおいて、
本体前面枠と本体背面枠とからなる本体と、
前記本体前面枠に開閉自在に取り付けられる前面開閉パネルと、
前記前面開閉パネルの裏面に設けられ、前記本体前面枠に回動自在に保持されるアームと、
前記前面開閉パネルの裏面に設けられ、該前面開閉パネルの閉状態で、本体前面枠に係止されるツメと、
前記アーム又は前記ツメが立設され、前記前面開閉パネルの裏面に該前面開閉パネルから離間して設けられる台座と、
前記前面開閉パネルと前記台座とを連結する薄肉の脚部とを備え、
前記前面開閉パネルは、表側が意匠面となるパネル部と、前記パネル部の外周部の裏側に立設する外周壁を備え、
前記脚部は前記パネル部の裏面に対して傾斜して設けられ、
前記脚部の一部は前記パネル部と前記外周壁とが交差する角部に連結されていることを特徴とする空気調和機の室内ユニット。
【請求項２】
前記脚部は、屈曲して前記角部に連結されていることを特徴とする請求項１記載の空気調和機の室内ユニット。
【請求項３】
前記パネル部は、略長方形をしており、
前記台座は、パネル部の左右端部の上部又は下部に設けられ、
前記外周壁は、略長方形のパネル部の外周四辺に対応して、上側外周壁と下側外周壁と左外周壁と右外周壁とを有し、
前記脚部は、上側外周壁と下側外周壁とのいずれかと前記パネル部とが交差する角部に連結されている第１の脚部と、左外周壁と右外周壁とのいずれかと前記パネル部とが交差する角部に連結されている第２の脚部とを有することを特徴とする請求項１又は２記載の空気調和機の室内ユニット。
【発明の詳細な説明】
【技術分野】
【０００１】
この発明は、空気調和機の室内ユニットに関するもので、特に室内ユニット本体の前面に設置され、開閉可能な前面開閉パネルに関するものである。
【背景技術】
【０００２】
従来の空気調和機の室内ユニットは、意匠面となる開閉可能な前面開閉パネルを備える。前面開閉パネルには、室内空気を吸込む吸込み口等は形成されていない。略長方形の板状の前面開閉パネルは、室内ユニットの筐体に取り付けられる。前面開閉パネルを室内ユニットの筐体に開閉可能に結合するアームや、前面開閉パネルが閉時に前面開閉パネルを室内ユニットの筐体に対して閉状態を保持するツメを、前面開閉パネルの背面に一体成形している。
【０００３】
空気調和機の室内ユニットの形状は、正面から見て通常横長な長方形である。前面開閉パネルも空気調和機の室内ユニットの正面の形状と略同形状である。
【０００４】
前面開閉パネルを室内ユニットの筐体に開閉可能に結合するアームや、前面開閉パネルが閉時に前面開閉パネルを室内ユニットの筐体に対して閉状態を保持するツメは、通常前面開閉パネルの背面の左右両端部付近に設けられる。アームが前面開閉パネルの背面の左右両端部付近の上部に、ツメが前面開閉パネルの背面の左右両端部付近の下部に設けられる。
【特許文献１】特開平１１−１６６７４９号公報
【発明の開示】
【発明が解決しようとする課題】
【０００５】
従来の空気調和機の室内ユニットは、以上のように構成されているので、前面開閉パネルの意匠面（前面開閉パネルが閉じているときに室内に露出する面）に「ひけ」が発生するという課題がある。
【０００６】
「ひけ」とは樹脂成形品表面の凹みのことである。これは、金型設計の不適切によることが多い。樹脂成形品の肉厚が不均一であったり、裏側に厚いリブや太いボスがあったりすると樹脂の収縮により表面が凹む現象である。金型の樹脂注入口から離れた部分では、樹脂の充填圧力が低くなるので、「ひけ」が発生しやすい。
【０００７】
前面開閉パネルを室内ユニットの筐体に開閉可能に結合するアームが、その太いボスに相当する。また、アームが前面開閉パネルの背面の左右両端部付近に設けられるので、前面開閉パネルの中央部付近に設けられる金型の樹脂注入口から離れている。そのためアーム付近の意匠面に「ひけ」が発生しやすい。
【０００８】
この発明は、上記のような課題を解決するためになされたもので、意匠面にひけが発生しにくい構造の前面開閉パネルを備えた空気調和機の室内機を提供することを目的とする。
【課題を解決するための手段】
【０００９】
この発明に係る空気調和機の室内ユニットは、壁掛け式の空気調和機の室内ユニットにおいて、本体前面枠と本体背面枠とからなる本体と、本体前面枠に開閉自在に取り付けられる前面開閉パネルと、前面開閉パネルの裏面に設けられ、本体前面枠に回動自在に保持されるアームと、前面開閉パネルの裏面に設けられ、前面開閉パネルの閉状態で、本体前面枠に係止されるツメと、アーム又はツメが立設され、前面開閉パネルの裏面に前面開閉パネルから離間して設けられる台座と、前面開閉パネルと台座とを連結する薄肉の脚部とを備えたことを特徴とする。
【発明の効果】
【００１０】
この発明の空気調和機の室内ユニットは、アーム又はツメが立設され、前面開閉パネルの裏面に前面開閉パネルから離間して設けられる台座と、前面開閉パネルと台座とを連結する薄肉の脚部とを備えたことにより、前面開閉パネルの意匠面にひけが発生しにくいという効果を奏する。
【発明を実施するための最良の形態】
【００１１】
実施の形態１．
図１乃至図５、図７、図８は実施の形態１を示す図で、図１は室内ユニット１００の全体構成を示す斜視図、図２は室内ユニット１００の縦断面図、図３は前面開閉パネル１の裏側から見た斜視図、図４は図３のＡ部拡大図、図５は図３のＢ部拡大図、図７は保持具４０とそれに装着または取り外し中の状態である前面開閉パネル１のアーム２５部を示す斜視図、図８は係止具５０とそれに嵌入しているツメ２６の関係を示す斜視図である。室内ユニット１００の係止具５０とツメ２６の関係を示す斜視図である。また、図６は比較のために示す従来の前面開閉パネル１の裏側から見た斜視図である。
【００１２】
図１、図２を参照しながら、空気調和機の室内ユニット１００の全体構成を説明する。但し、本実施の形態は、前面開閉パネル１に特徴がある。その他の部分は、公知の空気調和機の室内ユニット１００と同様であるので、簡単に説明する。
【００１３】
図１、図２に示す室内ユニット１００は、室内の壁等に取付けられる壁掛け式のものである。空気調和機は、室内ユニット１００と、室外ユニット（図示せず）と、使用者が室内で操作するリモコン（図示せず）とを備える。室外ユニット及び使用者が室内で操作するリモコンは、本実施の形態には関係しないので説明は省略する。
【００１４】
室内ユニット１００の本体（筐体）は、本体背面枠３と本体前面枠２とで構成される。
【００１５】
本体背面枠３は、室内ユニット１００の本体の背面側に位置する。本体背面枠３には、室内の空気を冷凍サイクル（室内ユニット１００の室内熱交換器４、室外機の圧縮機、室外熱交換器、減圧装置、四方弁等で構成される冷媒回路）の冷媒と熱交換する室内熱交換器４と、室内の空気を室内ユニット１００内部に吸込み、室内熱交換器４で熱交換された調和空気として室内に吹き出す室内送風機５（例えば、ラインフローファン（登録商標））とが固定される。
【００１６】
室内熱交換器４、室内送風機５は本体背面枠３に固定されるが、本体背面枠３から室内側に突出する。この突出した部分は、本体前面枠２に収納される。本体前面枠２は、天面に室内空気を室内ユニット１００の内部に吸い込む吸込口６を備える。
【００１７】
室内熱交換器４は多段（図２では３段）に折り曲げられ、室内送風機５の前面、上面及び背面の一部を囲うように配置される。室内熱交換器４の全体形状は側面視略逆Ｖ字状である。
【００１８】
本体前面枠２の前面に、前面開閉パネル１が上部（前面開閉パネル１のアーム２５が本体前面枠２の保持具装着部２ａに装着される保持具（後述）に保持される）を支点にして上下方向に開閉可能に取り付けられる。前面開閉パネル１は、閉状態でツメ２６が本体前面枠２（本体前面枠２の係止具装着部２ｂに装着される係止具（後述）に係止される）に係合して本体前面枠２の前面側を閉塞する。そして、本体前面枠２の前面側を閉塞した状態では、意匠面である前面が室内ユニット１００の意匠に寄与する。
【００１９】
本体前面枠２の下部に、室内熱交換器４で冷媒と熱交換後の調和空気が吹き出される吹出口７が形成されている。吹出口７は、室内ユニット１００の長手方向に延びて形成される。
【００２０】
吹出口７には、吹出口７の長手方向に沿って上下に２段に、上下風向板（上）６０ａ、上下風向板（下）６０ｂが設置される。上下風向板（上）６０ａ、上下風向板（下）６０ｂは、室内に吹き出される調和空気の上下方向の風向を調整する。上下風向板（上）６０ａ、上下風向板（下）６０ｂは、左右端部をそれぞれ回動自在に支持され、本体前面枠２内に収納される電動機（図示せず）により上下方向に回動して、吹出口７から室内に吹き出される調和空気の上下方向の風向を調整する。
【００２１】
空気調和機の運転停止時には、上下風向板（上）６０ａ、上下風向板（下）６０ｂが吹出口７を閉塞し、運転停止時の室内ユニット１００の意匠性を向上させる。
【００２２】
吹出口７の口元に設けられる風の上下方向の風向を変える上下風向板（上）６０ａ、上下風向板（下）６０ｂは、例えば、風路７０を清掃するために、取り外し可能になっている。
【００２３】
吹出口７において、上下風向板（上）６０ａ、上下風向板（下）６０ｂの上流側で、室内送風機５に近い位置に、一対の左右風向板組立（図示しない）が設けられる。一対の左右風向板組立は、吹出口７の中央部付近を境にして左右に分かれて配置されている。そして、一対の左右風向板組立は、上下風向板（上）６０ａ、上下風向板（下）６０ｂを取り外した後、観音扉のように、それぞれ吹出口７の中央部付近から前方へ開く構成になっている。一対の左右風向板組立が前方へ開放されることにより、風路７０の清掃等が可能となる。
【００２４】
各左右風向板組立は、左右風向板ベースと、この左右風向板ベースに回動自在に取付られる左右風向板と、左右風向板ベースに着脱自在に取り付けられるファンガードとを備える。ファンガードは、左右風向板の下流側（前面側）に位置する。ファンガードは、室内送風機５への触手を抑制するために設けられる。
【００２５】
室内送風機５から吹出口７に到る風路７０は、背面側が本体背面枠３によって形成される。また、風路７０の前面側は、本体前面枠２に固定されるノズル９によって形成される。
【００２６】
ノズル９の風路７０と反対側となる上面側は、室内熱交換器４の下方に位置する。そしてノズル９の上面側は、室内熱交換器４表面のドレン水を回収するドレンパンとなる。ドレンパンに回収されたドレン水は、図示しないドレンホースを流れて室外に排出される。
【００２７】
室内ユニット１００の内部には、吸込口６と室内熱交換器４との間に、吸込口６から吸い込まれる室内空気に混入する塵埃等を捕集するエアフィルター７１が室内熱交換器４を覆うように配置される。エアフィルター７１は本体前面枠２に着脱可能に取り付けられる。そして捕集した塵埃による目詰まりを防止するために使用者が取り外して清掃や洗浄を行い、その後再び装着できるようになっている。そのエアフィルター７１の着脱の際に使用者は前面開閉パネル１を開閉する。
【００２８】
室内ユニット１００には、エアフィルター７１以外にも塵埃より粒子の小さい花粉、ダニ、カビの胞子、たばこのヤニ等室内空気中の微粒子などを捕集する空気清浄フィルター及び吸い込まれた室内空気中の臭い成分を吸着して室内空気の脱臭を行う脱臭フィルターが室内熱交換器４の上流側に配置されることもある。これら空気清浄フィルター及び脱臭フィルターの清掃、洗浄もしくは新品への交換の際にも前面開閉パネル１が使用者によって開閉される。
【００２９】
次に、室内ユニット１００の基本的な動作について説明する。使用者によってリモコン等により空気調和機の運転開始が指令されると、室内ユニット１００では室内送風機５が運転を開始する。室内送風機５には図示されない電動機が連結されている。この電動機が回転することによって室内送風機５が回転する。室内送風機５の回転により室内空気が吸込口６から吸い込まれ、エアフィルター７１を通過する。この時吸い込まれた室内空気に含まれる塵埃をエアフィルター７１が捕集する。エアフィルター７１を通過した室内空気は室内送風機５の連続的な回転により更に室内熱交換器４を通過する。
【００３０】
室内熱交換器４を通過する際に、吸い込まれた室内空気は室内熱交換器４を流れる冷凍サイクルの冷媒と熱交換される。室内熱交換器４は空気調和機の運転が冷房の時は蒸発器となって、ここで冷凍サイクルの冷媒が蒸発するため、通過する室内空気を冷やす。暖房運転であれば凝縮器となって通過する室内空気を暖める。このように、吸い込まれた室内空気は室内熱交換器４を通過する際に室内熱交換器４を流れる冷媒と熱交換して、使用者が所望する調和空気となる。エアフィルター７１が吸い込まれた室内空気の塵埃を捕集することにより室内熱交換器４への塵埃の付着を防止し、室内熱交換器４の塵埃付着による熱交換性能の低下を防いでいる。
【００３１】
室内熱交換器４で冷媒と熱交換された室内空気は調和空気となって、室内送風機５の連続的な回転により風路７０を通って吹出口７から室内に吹き出される。吹出口７から吹き出される際に、上下風向板（上）６０ａ、上下風向板（下）６０ｂ及び図示しない左右風向板が回動して、吹き出される調和空気の風向が調整される。上下風向板（上）６０ａ、上下風向板（下）６０ｂ及び図示しない左右風向板は、それぞれ室内ユニット１００に内蔵される電動機によって回動される。
【００３２】
また、室内送風機５の回転数を変化させることで吹き出される風量も調整される。使用者により空気調和機の運転停止が指令されると、上下風向板（上）６０ａ、上下風向板（下）６０ｂは、吹出口７を閉塞する状態まで回動し、吹出口７を閉塞して静止する。
【００３３】
次に本実施の形態の特徴部分である前面開閉パネル１について説明する。図３は前面開閉パネル１の裏側から見た斜視図である。前面開閉パネル１の左右端部に、前面開閉パネル１を室内ユニット１００の本体前面枠２の上部に開閉可能に結合するアーム２５と、前面開閉パネル１が閉時に前面開閉パネル１を室内ユニット１００の本体前面枠２に対して閉状態を保持するツメ２６が立設している。
【００３４】
前面開閉パネル１は、全体が略長方形の板状である。その長手方向（左右方向）は、室内ユニット１００の左右方向に一致する。略長方形の板状部分をパネル部１ａと呼ぶ。
【００３５】
パネル部１ａの外周部には、裏面側（前面開閉パネル１が閉じたときに本体前面側となる面で、意匠面と反対側の面である）に立設する外周壁（フランジ部）が設けられる。前面開閉パネル１を室内ユニット１００に取付けたときに上になる外周壁を上側外周壁１ｂとする。前面開閉パネル１を室内ユニット１００に取付けたときに側面に位置する外周壁を側面外周壁１ｃとする。側面外周壁１ｃは、左右に２箇所ある。前面開閉パネル１を室内ユニット１００に取付けたときに下になる外周壁を下側外周壁１ｄとする。
【００３６】
先ず、前面開閉パネル１を室内ユニット１００の本体前面枠２の上部に開閉可能に結合するアーム２５の構成を、図４の拡大図により説明する。
【００３７】
前面開閉パネル１のパネル部１ａの裏面に、アーム２５を設置する台座２５ａが設けられる。台座２５ａは、パネル部１ａの裏面から離間（所定の距離だけ離れて）して設けられる。台座２５ａは、パネル部１ａ等と連結する脚部を有する。
【００３８】
脚部２５ａ−１は、上側外周壁１ｂに略平行に、側面外周壁１ｃに略垂直にパネル部１ａに設けられる。
【００３９】
脚部２５ａ−２は、上側外周壁１ｂの方向に設けられる。脚部２５ａ−２は、パネル部１ａと上側外周壁１ｂとが交わる角部と台座２５ａを連結するように傾斜して設けられる。
【００４０】
脚部２５ａ−３は、側面外周壁１ｃの方向に設けられる。脚部２５ａ−３は、パネル部１ａと側面外周壁１ｃとが交わる角部と台座２５ａを連結するように傾斜（屈曲）して設けられる。
【００４１】
脚部２５ａ−１、脚部２５ａ−２、脚部２５ａ−３は、厚さの薄い薄肉のリブのような形状である。
【００４２】
アーム２５の先端（上部）に、本体前面枠２の保持具装着部２ａの保持具（後述）に回動自在に保持される回動軸２５ｂが設けられる。回動軸２５ｂは、前面開閉パネル１の長手方向に平行に、且つ両端の回動軸２５ｂが向き合うように形成されている。
【００４３】
また、アーム２５のＬ字に屈曲する部分の近傍に、前面開閉パネル１を所定の角度で開状態を保持するための保持面２５ｃが形成されている。
【００４４】
アーム２５は、前面開閉パネル１のパネル部１ａの裏面から離間（所定の距離だけ離れて）して設けられる台座２５ａに立設する。そして、台座２５ａは、薄肉の脚部２５ａ−１、脚部２５ａ−２、脚部２５ａ−３で、パネル部１ａ又はパネル部１ａと上側外周壁１ｂもしくは側面外周壁１ｃとが交わる角部と連結している。そのため、前面開閉パネル１の樹脂射出成形時に、パネル部１ａ等の裏側に厚いリブや太いボスがないので、パネル部１ａの意匠面に「ひけ」（樹脂成形品表面の凹み）が発生しにくい。また、脚部２５ａ−２、脚部２５ａ−３は、パネル部１ａと上側外周壁１ｂもしくは側面外周壁１ｃとが交わる角部と連結しているので、仮に「ひけ」が発生しても目立たない。
【００４５】
次に、前面開閉パネル１が閉時に前面開閉パネル１を室内ユニット１００の本体前面枠２に対して閉状態を保持するツメ２６の構成を、図５の拡大図により説明する。
【００４６】
前面開閉パネル１のパネル部１ａの裏面に、ツメ２６を設置する台座２６ａが設けられる。台座２６ａは、パネル部１ａの裏面から離間（所定の距離だけ離れて）して設けられる。台座２６ａは、パネル部１ａと連結する脚部を有する。台座２６ａには、ツメ２６の他に、前面開閉パネル１を閉じる際にツメ２６を本体前面枠２の係止具装着部２ｂ内に収納固定されている係止具に係止するが、その挿入の案内となる挿入用案内２７が設けられている。挿入用案内２７は、本体前面枠２の凹部（図示せず）に収納される。
【００４７】
脚部２６ａ−１は、下側外周壁１ｄに略平行に、側面外周壁１ｃに略垂直にパネル部１ａに設けられる。脚部２６ａ−１は、傾斜している。
【００４８】
脚部２６ａ−２は、脚部２６ａ−１と対向する。脚部２６ａ−２は、パネル部１ａと下側外周壁１ｄとが交わる角部と台座２６ａを連結するように傾斜して設けられる。
【００４９】
脚部２６ａ−１、脚部２６ａ−２は、厚さの薄い薄肉のリブのような形状である。
【００５０】
ツメ２６の形状は、側面視（例えば、側面外周壁１ｃ側から見て）ひし形である。
【００５１】
ツメ２６は、前面開閉パネル１のパネル部１ａの裏面から離間（所定の距離だけ離れて）して設けられる台座２６ａに立設する。そして、台座２６ａは、薄肉の脚部２６ａ−１、脚部２６ａ−２で、パネル部１ａ又はパネル部１ａと下側外周壁１ｄとが交わる角部と連結している。そのため、前面開閉パネル１の樹脂射出成形時に、パネル部１ａ等の裏側に厚いリブや太いボスがないので、パネル部１ａの意匠面に「ひけ」（樹脂成形品表面の凹み）が発生しにくい。また、脚部２６ａ−２は、パネル部１ａと下側外周壁１ｄとが交わる角部と連結しているので、仮に「ひけ」が発生しても目立たない。
【００５２】
図６は比較のために示す従来の前面開閉パネル１０１の裏側から見た斜視図である。図３に示す前面開閉パネル１と、台座部分を除く他の構成は略同じである。従来の前面開閉パネル１０１は、アーム１２５が台座を備えていない。アーム１２５は、前面開閉パネル１０１のパネル部１０１ａから直接立設している。ツメ１２６部分についても同様である。
【００５３】
そのため、前面開閉パネル１０１の樹脂射出成形時に、パネル部１０１ａ等の裏側に厚いリブや太いボスが存在することになるので、パネル部１０１ａの意匠面に「ひけ」（樹脂成形品表面の凹み）が発生する。
【００５４】
次に、前面開閉パネル１を室内ユニット１００の本体前面枠２に回動自在に、且つ着脱可能に取り付ける方法について説明する。図１に示すように、本体前面枠２の上部両側に、本体前面枠２の正面から奥側（本体背面枠３側）に凹んでその底面に傾斜した溝を有した保持具装着部２ａがそれぞれ一体成形されている。その溝の傾斜方向は、手前側すなわち正面側が下方、奥側が上方に位置するような傾斜である。その溝に図７に示す保持具４０がそれぞれの保持具装着部２ａの底面溝に嵌められている。図７は保持具４０とそれに装着または取り外し中の状態である前面開閉パネル１のアーム２５部を示す斜視図である。
【００５５】
保持具４０は、本体前面枠２とは別体に、自己潤滑性のある樹脂で一体成形される。本体前面枠２の保持具装着部２ａ底面に形成される溝の上下両端面に、保持具４０の上係止片４１、下係止片４２がそれぞれ嵌って本体前面枠２に固定される。図７において下側に位置する下係止片４２が保持具装着部２ａの溝の下端面に保持される。
【００５６】
保持具４０の略中央には上方に開口するＵ字状の開度保持部４３が形成される。上部にはアーム２５の回動軸２５ｂを回動自在に支持し、下方側のみ略半円状に形成された軸受４４が形成されている。開度保持部４３は上部の開口が少し狭められていて、その開口幅はアーム２５の保持面２５ｃが位置する部分の幅よりも小さい。ただし開口を除いたＵ字状の開度保持部４３内面間の幅はアーム２５の保持面２５ｃが位置する部分の幅よりも大きく形成されている。
【００５７】
図１に示すように、本体前面枠２の下部両側に、本体前面枠２の正面から奥側（本体背面枠３側）に凹んだ係止具装着部２ｂがそれぞれ一体成形されている。その係止具装着部２ｂ内に図８に示す係止具５０が収納固定されている。図８は係止具５０とそれに嵌入して前面開閉パネル１の閉状態を保持しているツメ２６を示す斜視図である。左右２ヶ所の係止具装着部２ｂの位置は、本体前面枠２の長手方向中央に対して対称である必要はなく、本体前面枠２が収納する他の部品との関係から適宜設定されればよいが、本体前面開閉パネル１の下部寄りに位置させる。
【００５８】
係止具５０は、本体前面枠２とは別体に、自己潤滑性のある樹脂で一体成形される。その略中央に開口が傾斜して狭められている略Ｕ字状のツメ収納部５１が形成されていて、その開口が本体前面枠２の前面側となり、Ｕ字状が略鉛直状態（室内ユニット１００の長手方向と略垂直）となるように係止具装着部２ｂに配置されている。
【００５９】
前面開閉パネル１を室内ユニット１００の本体前面枠２に装着するには、先ず前面開閉パネル１の両側下方を持って、前面開閉パネル１を本体前面枠２に対して略９０°の状態としてから両側のアーム２５の先端を左右略同時に本体前面枠２の係止具装着部２ｂ内に挿入し、アーム２５の先端に形成されている回動軸２５ｂを保持具４０に形成されている軸受４４に嵌合させる。
【００６０】
軸受４４は下方側だけの半円状であるので、嵌合させるというのは、軸受４４の内周面に載せることである。なお軸受４４が下方側しか存在しないのは、前面開閉パネル１の自重という一定方向の荷重しか支持しなくてよいためである。
【００６１】
軸受４４への回動軸２５ｂの嵌合は、前面開閉パネル１を本体前面枠２に対して略９０°の状態で奥側すなわち本体背面枠３側に押し付けることで、突設している軸受４４の前面側に位置する先端部４４ａが回動軸２５ｂによって弾性変形して押し下げられることで、回動軸２５ｂが軸受４４の先端部４４ａを乗り越えて軸受４４の内周面上に載置される。
【００６２】
軸受４４は回動軸２５ｂが先端部４４ａを乗り越えると弾性変形が解除される。このように軸受４４が弾性変形して回動軸２５ｂが軸受４４に嵌合され、嵌合後は軸受４４の弾性変形が解除されるので、前面開閉パネル１の取り付け作業者は、軸受４４の弾性変形を手応えとして感じることができるので、装着の完了、そして正常に装着できたかをこの手応えから判断することが可能となる。
【００６３】
回動軸２５ｂの軸受４４への嵌合が両側とも完了すると、前面開閉パネル１を閉状態とすべく回動軸２５ｂを回動支点として下方に下げる。そのときの開口の両側に位置する上端面４３ａにアーム２５の保持面２５ｃが接触して停止する。この状態が前面開閉パネル１を開状態に保持しているときである。
【００６４】
前面開閉パネル１を更に下方へ回動させようと力を加えると、アーム２５の両側の保持面２５ｃがＵ字状の開度保持部４３を外側に弾性変形させ、開度保持部４３の開口を乗り越え、Ｕ字状の開度保持部４３の内面間へと進入する。開度保持部４３の内面間の幅はアーム２５の保持面２５ｃが位置する部分の幅よりも大きく形成されているので、アーム２５が開度保持部４３の開口を通過して開度保持部４３の内面間に収納されると開度保持部４３の弾性変形は終了する。
【００６５】
前面開閉パネル１の下方への回動を続けると、ツメ２６が本体前面枠２に固定された係止具５０と接触する。そして菱状のツメ２６が係止具５０のツメ収納部５１の傾斜して狭めらている開口を広げて、すなわちツメ収納部５１を外側に弾性変形させてツメ収納部５１内に進入して収納される。ツメ２６のツメ収納部５１内への収納が完了すると、ツメ収納部５１の弾性変形が解除される。取り付け作業者はこのツメ収納部５１の弾性変形の解除を手応えとして感じることができ、ツメ２６の収納完了をこの手応えにより判断できる。
【００６６】
ツメ収納部５１は開口の幅がツメ２６の左右方向の幅よりも狭いので、ツメ２６のツメ収納部５１開口からの自発的な脱出を防ぎ、前面開閉パネル１の下方部分の浮き上がりを防止している。ツメ２６がツメ収納部５１に収納され、ツメ２６がツメ収納部５１の開口に引っ掛かることで、前面開閉パネル１が浮き上がることなく、閉状態が安定的に保持され、外観の見映えがよくなり、前面開閉パネル１が回動軸２５ｂを支点にして回動方向にがたつくこともない。
【００６７】
続いて使用者による前面開閉パネル１の開閉作業について説明する。使用者は前述したようなエアフィルター７１の清掃等のために、あるいは室内ユニット１００の清掃のために室内の壁に設置された室内ユニット１００の前面開閉パネル１を開閉する。前面開閉パネル１を使用者が開けるには、まず室内ユニット１００が停止状態の時に、前面開閉パネル１の両側の手掛け部１ｅ（図５参照）に指をかけ、手前（使用者自身の方）に引くようにして、左右のツメ２６を係止具５０のツメ収納部５１から抜き出す。
【００６８】
以上のように、本実施の形態によれば、本体前面枠２の前面に上下方向に開閉可能に取り付けられる前面開閉パネル１の意匠面と反対側の裏面に設けられるアーム２５（本体前面枠２の保持具装着部２ａに装着される保持具４０に保持される）と、ツメ２６（本体前面枠２の係止具装着部２ｂに装着される係止具５０に係止される）とが、パネル部１ａの裏面から離間（所定の距離だけ離れて）して設けられる台座２５ａ又は台座２６ａに立設されている。そして、台座２５ａ又は台座２６ａは、薄肉の脚部でパネル部１ａ又は前面開閉パネル１の外周壁と連結する構成にした。従って、前面開閉パネル１の樹脂射出成形時に、パネル部１ａ等の裏側に厚いリブや太いボスがないので、パネル部１ａの意匠面に「ひけ」（樹脂成形品表面の凹み）が発生しにくい。また、脚部は、パネル部１ａと外周壁とが交わる角部と連結しているので、仮に「ひけ」が発生しても目立たない。
【図面の簡単な説明】
【００６９】
【図１】実施の形態１を示す図で、室内ユニット１００の全体構成を示す斜視図。
【図２】実施の形態１を示す図で、室内ユニット１００の縦断面図。
【図３】実施の形態１を示す図で、前面開閉パネル１の裏側から見た斜視図。
【図４】実施の形態１を示す図で、図３のＡ部拡大図。
【図５】実施の形態１を示す図で、図３のＢ部拡大図。
【図６】比較のために示す従来の前面開閉パネル１の裏側から見た斜視図。
【図７】実施の形態１を示す図で、保持具４０とそれに装着または取り外し中の状態である前面開閉パネル１のアーム２５部を示す斜視図。
【図８】実施の形態１を示す図で、室内ユニット１００の係止具５０とツメ２６の関係を示す斜視図。
【符号の説明】
【００７０】
１  前面開閉パネル、１ａ  パネル部、１ｂ  上側外周壁、１ｃ  側面外周壁、１ｄ  下側外周壁、１ｅ  手掛け部、２  本体前面枠、２ａ  保持具装着部、２ｂ  係止具装着部、３  本体背面枠、４  室内熱交換器、５  室内送風機、６  吸込口、７  吹出口、９  ノズル、２５  アーム、２５ａ  台座、２５ａ−１  脚部、２５ａ−２  脚部、２５ａ−３  脚部、２５ｂ  回動軸、２５ｃ  保持面、２６  ツメ、２６ａ  台座、２６ａ−１  脚部、２６ａ−２  脚部、２７  挿入用案内、４０  保持具、４１  上係止片、４２  下係止片、４３  開度保持部、４３ａ  上端面、４４  軸受、４４ａ  先端部、５０  係止具、５１  ツメ収納部、６０ａ  上下風向板（上）、６０ｂ  上下風向板（下）、７０  風路、７１  エアフィルター、１００  室内ユニット、１０１  前面開閉パネル、１０１ａ  パネル部、１２５  アーム、１２６  ツメ。
【図１】
0004490475.tif 000002
【図２】
0004490475.tif 000003
【図３】
0004490475.tif 000004
【図４】
0004490475.tif 000005
【図５】
0004490475.tif 000006
【図６】
0004490475.tif 000007
【図７】
0004490475.tif 000008
【図８】
0004490475.tif 000009